(57)【要約】【課題】本発明は、複数のワイヤー等の線状体を捩れることなく、スムーズに移動することのできる線状体の連結具と該連結具を用いた連結治具を提供することを課題とする。【解決手段】連結具本体には主線状体を挿通するための孔が設けられ、連結具本体の側面には、従線状体を連結するためのより戻しが設けられ、しかもより戻しが連結具本体の側面より突出しないように設けられていることである。【選択図】　図１
2004092898.tif 000002
【特許請求の範囲】
【請求項１】
主線状体と、従線状体とを捩れることなく連結するための線状体の連結具であって、連結具本体には主線状体を挿通するための挿通孔が設けられ、連結具本体の側面には、従線状体を連結するためのより戻しが設けられ、しかも該より戻しが連結具本体の側面より突出しないように設けられていることを特徴とする線状体の連結具。
【請求項２】
前記より戻しが連結具本体の側面に、複数個設けられている請求項１に記載の線状体の連結具。
【請求項３】
主線状体に挿通し、且つ主線状体の所定位置に固定された固定体でその移動を阻止された連結具本体が複数個設けられ、しかも各連結具本体の側面には、連結具本体の側面より突出しないように位置し、且つ従線状体を連結するためのより戻しが設けられていることを特徴とする連結具を用いた連結治具。
【発明の詳細な説明】
【０００１】
【発明の属する技術分野】
本発明は、複数のワイヤー等の線状体を連結し、それぞれのワイヤー等の線状体が捩れ、又は絡み合うことなく移動することのできる線状体の連結具と該連結具を用いた連結治具に関する。
【０００２】
【従来の技術】
例えば、体育館等の室内を、複数面に分けて球技等で同時に使用する場合、又は防球用としてネットを吊張りする。
このネットを吊張りは、天井周縁の一方より他方側へ設けられ、且つウインチに設けられたウインチワイヤー（主線状体）を移動することで、一端側をウインチワイヤーに連結し、他端側をネットに連結した複数のネット連結用ワイヤー（従線状体）を移動して、ネットを吊張りする。
【０００３】
この際に、ウインチワイヤーとネット連結用ワイヤーとの連結に使用される連結具としては上下が回動自在なより戻しが用いられていた。即ち、ウインチワイヤーをより戻しの上部部分に連結し、ネット連結用ワイヤーをより戻しの下部部分に連結することで、両ワイヤーの捩れを解消していた。
【０００４】
しかしながら、使用されるウインチワイヤーは天井部分に沿って設けられているために長尺状のワイヤーであり、またネット連結用ワイヤーにはネットの荷重がかかるために、複雑に交差した捩れが生じることがあり、従来のより戻しのみでは、これらの捩れを解消できなかった。
【０００５】
そこで、上下部分で回動自在な連結具本体の上下をそれぞれウインチワイヤーに連結し、該連結具本体の側面に回動自在に設けられたより戻しにネット連結用ワイヤーを連結する連結具が使用された。
【０００６】
また、従来、長尺状の筒状体内に複数の線状体（例えば光ファイバー等）を挿通する場合、線を束ねて１本状態にし、先端側を別の細いワイヤー等で締結した後、そのワイヤーを筒状体内に挿通し、該ワイヤーを引っ張ることで複数の線状体を筒状体内に挿通していた。
【０００７】
【発明が解決しようとする課題】
しかしながら、上述のような連結具は、連結具本体をウインチワイヤーに固定して取り付けているために、ウインチワイヤーにかかる捩れに対して十分に対応することができず、使用中にネット連結用ワイヤーとウインチワイヤーとが絡まったり、捩れたりするという欠点があった。
【０００８】
また、連結具本体の上下をウインチワイヤーに連結するために、その取り付けが煩雑であった。
【０００９】
また、筒状体内に複数の線状体を挿通する場合、線を束ねて１本状態にすることはその作業に多くの時間を要するとともに、ワイヤーで複数の線状体を引っ張る際、各線状体間で捩れが生じ、数本の線状体が筒状体内を挿通できないという問題点があった。
【００１０】
そこで、本発明は、ワイヤー等の線状体が捩れて、絡むことなくスムーズに移動することができ、また、複数の線状体を筒状体内に挿通するのに適した線状体の連結具と該連結具を用いた連結治具を提供することにある。
【００１１】
【課題を解決するための手段】
本発明は、上記目的を達成するために、請求項１において、主線状体と、従線状体とを捩れることなく連結するための線状体の連結具であって、連結具本体には主線状体を挿通するための挿通孔が設けられ、連結具本体の側面には、従線状体を連結するためのより戻しが設けられ、しかも該より戻しが連結具本体の側面より突出しないように設けられていることを特徴とする。
【００１２】
また、請求項２に記載のように、より戻しが連結具本体の側面に、複数個設けられていることである。
【００１３】
さらに、請求項３に記載のように、主線状体に挿通し、且つ主線状体の所定位置に固定された固定体でその移動を阻止された連結具本体が複数個設けられ、しかも各連結具本体の側面には、連結具本体の側面より突出しないように位置し、且つ従線状体を連結するためのより戻しが設けられていることを特徴とする。
【００１４】
【作用】
即ち、本発明は、ネット等を移動する主線状体としてのウインチワイヤーに、所定距離移動自在挿通された連結具本体と、該連結具本体の側面に設けられ、ネットに設けられたネット連結用ワイヤーを連結した１又は複数のより戻しとにより構成されている。そして、ウインチワイヤーを移動すると連結具本体は所定距離該ウインチワイヤーを挿通移動（連結具本体は移動することなくウインチワイヤーのみ移動する）した後、固定体によりその移動を阻止されウインチワイヤーとともに移動する。これにより、より戻しを介してネット連結用ワイヤーが移動することとなる。
【００１５】
この際、連結具本体がウインチワイヤーに挿通されているために、ウインチワイヤーに発生する捩れは解消することができるとともに、連結具本体の側面に設けられたより戻しによりネット連結用ワイヤーに発生する捩れも解消することができる。
【００１６】
しかも、連結具本体をウインチワイヤーに挿通するのみでウインチワイヤーに取り付けすることができるので、その取り付けも簡易であり、且つネット連結用ワイヤーを引っ張る際も、より戻しが連結具本体の側面より突出しないように設けられているために、より戻しが衝突することなく移動することができるので引っ張る際に発生する捩れを解消することができる。
【００１７】
従って、ウインチワイヤーとネット連結用ワイヤーとをスムーズに移動することができる。
【００１８】
また、複数の線状体（ワイヤー）を筒状体内に挿通する際は、挿通用のワイヤーに複数の連結具本体を挿通し、所定距離毎にワイヤーに固定体を固定して連結治具を構成する。
【００１９】
そして、挿通する複数の線状体をそれぞれ、連結具本体の側面に設けられたより戻しに複数の線状体を連結する。その後、挿通用のワイヤーを筒状体内の一方側より挿通し、該ワイヤーを筒状体の他方側より引っ張ることで複数の線状体を筒状体内に挿通することができる。
【００２０】
この際、複数の線状体はより戻しと連設具本体との回転により捩れることなくスムーズに挿通することができる。また、より戻しは連結具本体の側面より突出しないように設けられているために、筒状体内で複数の線状体が突出することなく挿通することができる。
【００２１】
このように、複数のワイヤーをそれぞれ自在に捩れることなく移動することができる。
【００２２】
【実施の形態】
以下、本発明の体育館等の室内のネット吊張り装置の一実施例を図面に沿って説明する。
図１は、本発明の一実施例である連結具を示す概略断面図であり、図２は、連結具の使用状態を示す概略側面図であり、図３はより戻しが複数個設けられた場合の連結具を示す概略側面図であり、図４は連結具を用いた連結治具を示す概略側面図である。
【００２３】
本発明の連結具１は、略円柱状で長尺方向の中央に沿って孔２が貫通された連結具本体１と、該連結具本体１の円柱側面１ａに取り付けられたより戻し３とから構成されている。
【００２４】
前記連結具本体１は、略円柱状の先端側を中心側より外方向に傾斜して円錐形状に形成し、側面の中央部分より逆方向に円錐形状に形成するとともに、後端側にかけて先端部分より小径の円柱状４に形成している。尚、連結具本体１の形状はこれに限定されるものでなく、例えば先端側を球状体、又は矩形状に形成することも可能であり、また、後端側を四角、三角等の矩形状に形成することも可能である。
【００２５】
前記より戻し３は、連結具本体１の孔２の穿設（矢印Ａ）方向に沿って、連結具本体１の側面１ａを切欠いた面に固定状態に取り付けられた長円形のリング体５を介して取り付けられている。これにより、より戻し３は前記円柱体４部分に設けられ、その結果、連結具本体１の側面１ａより突出しないように位置することとなる。
【００２６】
尚、前記より戻し３の連結具本体１への取り付け手段は、リング体５に限定するものでなく、鎖、ワイヤー等の線状体、又は棒状体でもよく、さらに、より戻し３の数も、１つに限定されるものでなく、使用目的に応じて、例えば対称する位置に２個取り付けることも可能であり、さらに３個、４個と取り付けることも可能である。
【００２７】
本発明の連結具１は上記のような構成よりなり、次にこの連結具１の使用（体育館等の室内用のネットを吊張する場合）について説明する。
【００２８】
先ず、室内の天井部縁部に沿って設けられ、エンドレスウインチに巻回されたウインチワイヤー１０に連結具本体１の孔２を挿通し、ウインチワイヤー１０の所定位置に固定体１１を取り付ける。これにより、連結具本体１はその移動が制限されることとなる。
【００２９】
その後、一端側をネットに設けられたネット吊張用ワイヤー１１の他端側をより戻し３に連結する。
【００３０】
そして、エンドレスウインチを作動してウインチワイヤー１０を移動すると、最初は連結具本体１の孔２内をウインチワイヤー１０が移動し、固定体１１が連結具本体１の後端側に当接することにより、連結具本体１の移動が停止することとなる。
その後、ウインチワイヤー１０の移動とともに、連結具本体１が移動し、より戻し３に連結されたネット吊張用ワイヤー１１が同時に移動することとなる。
【００３１】
この際、移動中のウインチワイヤー１０の捩れは、連結具本体１内で回動して解消され、ネット吊張用ワイヤー１１に生じる捩れは、より戻し３の回転により解消されることとなり、各ワイヤーの捩れを解消することができる。
このため、常にスムーズに各ワイヤーを移動することができることとなる。
【００３２】
次に、上記連結具１を複数使用した連結治具２０について説明する。
【００３３】
挿通用ワイヤー２１に連結具１を複数個（図中は３個）を挿通し、それぞれの連結具１の下方側に固定体１１を設けることで連結治具２０を構成する。
【００３４】
前記連結治具２０の使用は、例えば光ケーブルの線を太い筒状体３０に挿通する場合、先ず連結治具２０の連結具１…それぞれのより戻し３…にケーブルの線２２…を連結し、その後、挿通用ワイヤー２１を筒体３０の一方側より他方側まで挿通させる。
その後、該挿通用ワイヤー２１を引っ張ることで、ケーブルの線２２…を一度に筒状体３０に挿通することができる。しかも、ケーブルの線２２…の捩れは、上記と同様に、連結具本体１内での挿通用ワイヤー２１の回動、及びより戻し３の回転により解消されることとなる。
【００３５】
このように、複数のケーブル等の線状体をスムーズに挿通することが可能となる。
【００３６】
【発明の効果】
叙上のように、本発明による連結具は、連結した各ワイヤー等の線状体に生じる捩れを解消し、スムーズな線状体の移動を可能とし、しかも、その取り付けが従来の連結具に比し容易であるために、メンテナンス等を必要とすることなく長期的に使用することができるという利点を得た。
【００３７】
また、連結治具もスムーズに線状体を筒状体内に挿通することができ、その取扱も容易であるために、その利用範囲が大きく広がるという利点がある。
【００３８】
さらに、装置の構成も簡易であるために、製造コストを抑えることができ、経済的であるという利点がある。
【図面の簡単な説明】
【図１】は、本発明の一実施例である連結具を示す概略断面図である。
【図２】は、連結具の使用状態を示す概略側面図である。
【図３】は、より戻しが複数個設けられた場合の連結具を示す概略側面図である。
【図４】は、連結具を用いた連結治具を示す概略側面図である。
【符号の説明】
１…連結具本体、３…より戻し
【図１】
2004092898.tif 000003
【図２】
2004092898.tif 000004
【図３】
2004092898.tif 000005
【図４】
2004092898.tif 000006